(57)【特許請求の範囲】
【請求項１】
ピアノ本体の下方に配置されたペダル箱と、このペダル箱に設けられ足によって踏込操作されるペダルを備え、前記ペダル箱を前記ピアノ本体の下面側に垂設したペダル柱に対して高さ方向に調節可能に取付けたことを特徴とするグランドピアノのペダル装置。
【請求項２】
請求項１記載のグランドピアノのペダル装置において、
ペダル柱にラックを設け、ペダル箱に前記ラックに噛合するピニオンを設けたことを特徴とするグランドピアノのペダル装置。
【請求項３】
請求項１記載のグランドピアノのペダル装置において、
ペダル箱をペダル柱に上下動自在に連結するボールねじと、前記ペダル柱を回転させる駆動モータとを備えたことを特徴とするグランドピアノのペダル装置。
【請求項４】
請求項１，２または３記載のグランドピアノのペダル装置において、
ペダルをペダル突上げ棒に対して高さ方向に調節可能に連結したことを特徴とするグランドピアノのペダル装置。
【請求項５】
ピアノ本体の下方に配置されたペダル箱と、このペダル箱に設けられ足によって踏込操作操作されるペダルと、前記ペダル箱を前記ピアノ本体に対し少なくとも高さ方向に調節可能に連結するリンク機構とを備えたことを特徴とするグランドピアノのペダル装置。
【請求項６】
ピアノ本体の下方にペダル柱を介して配置されたペダル箱と、このペダル箱に設けられ足によって踏込操作されるペダルを備え、前記ペダル柱を伸縮自在に構成したことを特徴とするグランドピアノのペダル装置。
【請求項７】
請求項１〜６のうちのいずれか１つに記載のグランドピアノのペダル装置において、
ペダルにペダル突上げ棒の代わりに可撓性を有するワイヤを連結したことを特徴とするグランドピアノのペダル装置。
【発明の詳細な説明】
【０００１】
【発明の属する技術分野】
本発明は、グランドピアノのペダル装置に関し、さらに詳しくはペダルの高さを自由に調節することができるペダル装置に関する。
【０００２】
【従来の技術】
図１６は従来のグランドピアノの外観斜視図である。同図において、全体を符号１で示すものはグランドピアノで、ピアノ本体２とペダル装置３を備えている。ピアノ本体２は、３本の支柱５を有し、前端部下方に前記ペダル装置３が垂設されている。ペダル装置３はピアノ本体２の下方に配置されたペダル箱５を備え、このペダル箱５に足先によって踏込操作される３本のペダル６（ダンパーペダル６Ａ、ソフトペダル６Ｂおよびソステヌートペダル６Ｃ）を配設し、各ペダル６の運動をペダル箱５の後方に上下動自在に配設したペダル突上げ棒７によってピアノ本体２内のダンパー機構、弱音機構、ソステヌート機構にそれぞれ伝達することにより、弦の振動を制御して音量を変えたり、演奏効果を高めるようにしている。ペダル箱５は、ピアノ本体２の下面前端部に垂設した２本のペダル柱８と突かい棒９の下端に床と適宜な間隔を保って固定されている。
【０００３】
【発明が解決しようとする課題】
上記したように、従来のグランドピアノ１におけるペダル装置３は、ピアノ本体２の下面に垂設したペダル柱８と突かい棒９の下端にペダル箱５を固定し、このペダル箱５にペダル６を回動自在に設け、その後端をペダル突上げ棒７の下端に連結していた。つまり、ペダル６の床面からの高さは決まっており、自由に調節することができない構造となっている。このため、幼児などが演奏する際には、椅子の座の高さを低く調節しても足がペダル６に十分に届かないことがあり、演奏に支障をきたすという問題があった。
【０００４】
そこで、上記問題を解決する方法として、例えば、実開昭５９−１５８１９０号公報、特開平９−４４１４５号公報等に開示された補助ペダル装置を用いること知られている。このような補助ペダル装置を用いると、上記した問題は解消することができるものの、この種の補助ペダル装置は、補助ペダルのペダル６に対する取付け方が悪いと補助ペダルの運動をペダル６に正しく伝達することができず、このため補助ペダルの高さ、前後方向の位置、角度等を調節するための機構をさらに必要とする。したがって、部品点数が増加し装置自体が複雑で大型化し、取り扱い難いばかりか、高価になるという問題があった。
【０００５】
本発明は上記した従来の問題を解決するためになされたもので、その目的とするところは、比較的簡単な構造でペダルの高さを自由に調節することができるようにしたグランドピアノのペダル装置を提供することにある。
【０００６】
【課題を解決するための手段】
上記目的を達成するために、第１の発明は、ピアノ本体の下方に配置されたペダル箱と、このペダル箱に設けられ足によって踏込操作されるペダルを備え、前記ペダル箱を前記ピアノ本体の下面側に垂設したペダル柱に対して高さ方向に調節可能に取付けたものである。
この発明においては、ペダル箱をペダル柱に沿って上下動させると、ペダルの高さを調節することができる。
【０００７】
第２の発明は、上記第１の発明において、ペダル柱にラックを設け、ペダル箱に前記ラックに噛合するピニオンを設けたものである。
この発明においては、ピニオンがラックに沿って回転するとペダル箱をペダル柱に沿って上下動させることができる。
【０００８】
第３の発明は、上記第１の発明において、ペダル箱をペダル柱に上下動自在に連結するボールねじと、前記ペダル柱を回転させる駆動モータとを備えたものである。
この発明においては、駆動モータの駆動によってペダル柱を回転させると、ボールねじの働きによりペダル箱をペダル柱に沿って上下動させることができる。
【０００９】
第４の発明は、上記第１、第２または第３の発明において、ペダルをペダル突上げ棒に対して高さ方向に調節可能に連結したものである。
この発明においては、ペダル箱の高さを調節したとき、ペダルのペダル突上げ棒に対する高さも調節することができる。
【００１０】
第５の発明は、ピアノ本体の下方に配置されたペダル箱と、このペダル箱に設けられ足によって踏込操作操作されるペダルと、前記ペダル箱を前記ピアノ本体に対し少なくとも高さ方向に調節可能に連結するリンク機構とを備えたものである。
この発明においては、ペダル箱の高さをリンク機構によって調節することができる。
【００１１】
第６の発明は、ピアノ本体の下方にペダル柱を介して配置されたペダル箱と、このペダル箱に設けられ足によって踏込操作されるペダルを備え、前記ペダル柱を伸縮自在に構成したものである。
この発明においては、ペダル柱を伸縮させるとペダル箱の高さを調節することができる。
【００１２】
第７の発明は、上記第１〜第６の発明において、ペダルにペダル突上げ棒の代わりに可撓性を有するワイヤを連結したものである。
ペダル突上げ棒を用いたピアノにおいては、ペダル箱を上下動させるとき予めペダルをペダル突上げ棒に対して上下動自在にしてペダル突上げ棒の長さを変更する必要があるが、この発明においてはペダル突上げ棒の代わりに可撓性を有するワイヤを用いているので、ワイヤの長さを変更する必要がなく、ペダルの運動をワイヤに確実に伝達することができる。
【００１３】
【発明の実施の形態】
以下、本発明を図面に示す実施の形態に基づいて詳細に説明する。
図１は本発明に係るグランドピアノのペダル装置の第１の実施の形態を示す外観斜視図、図２は同ペダル装置の一部を破断して示す側面図、図３はペダル箱の固定構造を示す要部の断面図、図４はペダルとペダル突上げ棒の連結構造を示す断面図である。なお、図中従来技術の欄で示した構成部材と同一のものについては同一符号を以て示し、その説明を適宜省略する。これらの図において、全体を符号１０で示すものはペダル装置、１１は床、１２はピアノ本体の棚板下面に固定されたペダル笠木である。
【００１４】
前記ペダル装置１０は、ペダル箱５と、このペダル箱５に配設された３本のペダル６（ダンパーペダル６Ａ、ソステヌートペダル６Ｂおよびソフトペダル６Ｃ）と、ペダル箱５の後方に各ペダル６にそれぞれ対応して配設された３本のペダル突上げ棒７と、前記ペダル箱５を支持する左右２本のペダル柱８および突かい棒９と、前記ペダル笠木１２等で構成されている。ダンパーペダル６Ａ、ソステヌートペダル６Ｂおよびソフトペダル６Ｃは、踏込操作される前端部の形状が若干異なるだけであり、ペダル箱５に対する取付構造は全て同じであるため、以下の説明においてはこれらを総称してペダル６と呼び、個々のペダルについての説明を省略する。
【００１５】
前記ペダル箱５は、上下に貫通し前記各ペダル柱８が貫通する２つのペダル柱用孔２１と、前後に貫通し前記ペダル６が貫通する３つのペダル取付孔２２とを有し、両側面に設けた固定用ねじ２３によって前記ペダル柱８の下端部に固定されている。固定用ねじ２３は、図３に示すようにペダル箱５の側板に設けたねじ孔２５に螺合されて先端がペダル柱８の一側面を押圧し、他側面をペダル柱用孔２１の孔壁に押し付けることにより、ペダル箱５をペダル柱８に対して固定している。前記ペダル柱８は、上端が前記ペダル笠木１２の下面に固定され、下端には前記ペダル箱５の脱落を防止するピン２６が突設されている。
【００１６】
前記突かい棒９は伸縮自在に構成されている。前記ペダル笠木１２は、ピアノ本体２（図１６）の棚板下面に固定されている。
【００１７】
図２および図４において、前記ペダル箱５の内部には、前記ペダル６を回動自在に枢支する水平な支軸３０がブラケット３１を介して配設されている。前記ペダル６は、ペダル箱５に前記ペダル取付孔２２を貫通して配設され、長手方向の中間部が前記支軸３０よって上下方向に回動自在に枢支され、図示を省略した圧縮コイルばねによって復帰方向の回動習性が付与されている。ペダル箱５の後方に突出するペダル６の後端部６ａは、前記ペダル突上げ棒７の下端部に２組のダブルナット３３（ナット３３Ａ，３３Ｂ）によって高さ方向に調節可能に、かつ揺動可能に連結されている。このため、ペダル６の後端部６ａには、上下面に貫通する貫通孔３５が形成され、この貫通孔３５に前記ペダル突上げ棒７の下端部が挿通されている。貫通孔３５は、ペダル突上げ棒７の外径より大きな穴径を有し、これによってペダル６の揺動を可能にしている。ペダル突上げ棒７の下端には、ペダルの抜けを防止する大径部７ａが設けられている。なお、ペダル突上げ棒７は略垂直に配設される。
【００１８】
前記２組のダブルナット３３は、ペダル突上げ棒７の下端部外周面に形成した雄螺子部３６に螺合されてペダル６の後端部６ａを揺動可能に挟持している。ダブルナット３３のうち、ペダル６の後端部６ａの表面（または裏面）に接触するナット３３Ａの前記後端部６ａとの接触面は、凸状の球面３８に形成されており、これによりペダル６の揺動を円滑かつ容易にしている。
【００１９】
このような構造からなるペダル装置１０において、ペダル６の高さを調節する際には、先ず２組のダブルナット３３を緩めてペダル６をペダル突上げ棒７に対して上下動自在にする。次いで、固定用ねじ２３を緩めてペダル箱５をペダル柱８に沿って所要高さ位置まで移動させて演奏者の足がペダル６の前端部上面に十分に届くか否かを確認する。足がペダル６に届けば固定用ねじ２３を締め付けてペダル箱５をペダル柱８に対して強固に固定し、届かない場合は届くようにさらに移動させて高さを調節し、ペダル柱８に固定する。ペダル箱５を高さ調節して固定した後、ダブルナット３３を締め付けてペダル６がペダル突上げ棒７に対して上下動しないように固定する。
【００２０】
このように本発明に係るペダル装置１０は、ペダル箱５をペダル柱８に対して高さ方向に調節可能に取付けているので、従来の補助ペダル装置を必要とせず、幼児などであってもペダル６を最も演奏し易い高さ位置に移動させることができ、ペダル６の運動をペダル突上げ棒７に確実に伝達することができる。
【００２１】
また、構造が極めて簡単で、格別な機構を設ける必要がなく、ペダル箱５のペダル柱８に対する高さ調節およびペダル６のペダル突上げ棒７に対する高さ調節作業も容易で、迅速に行うことができる。
【００２２】
図５は本発明の第２の実施の形態を示すペダル装置の斜視図である。
この実施の形態では、ペダル箱５の両側面に高さ方向全長にわたるガイド溝４０をそれぞれ形成し、これらの溝４０にペダル柱８をそれぞれ相対摺動自在に挿入し、ペダル柱８の下半部に両側面に開口する長孔４１を形成し、この長孔４１に固定用ねじ２３を挿入してペダル箱５に形成したねじ孔にねじ込むことにより、ペダル箱５をペダル柱８に対して高さ調節可能に固定するようにしている。ペダル６とペダル突上げ棒７の連結構造は、図４に示した連結構造と全く同一である。
【００２３】
このような構造においても、上記した第１の実施の形態と同様に固定用ねじ２３を緩めると、ペダル柱８に対するペダル箱５とペダル６の高さを連続的に調節することができることは明らかであろう。
【００２４】
図６は本発明の第３の実施の形態を示すペダル装置の側面図である。
この実施の形態では、ペダル箱５とペダル笠木１２をリンク機構５０によって高さ調節自在に、かつ前後方向に移動調節自在に連結し、ペダル突上げ棒を可撓性を有するワイヤ５１によって構成している。つまり、本実施の形態は、ペダル柱８を用いる代わりにリンク機構５０によってペダル箱５を高さ調節自在に、かつ前後方向に移動調節可能に支持し、剛体からなるペダル突上げ棒を用いた従来の突上げ機構の代わりにワイヤ式の突上げ機構を用いてペダル装置５２を構成し、突かい棒９を省略したものである。
【００２５】
前記リンク機構５０は、前後方向に離間する平行な２本のリンク５３Ａ，５３Ｂからなり、その上端が前記ペダル笠木１２に固定用ねじ５４によってそれぞれ回動可能に固定され、下端が同じく固定用ねじ５５によって前記ペダル箱５に回動可能に固定されている。ワイヤ５１は、上端がピアノ本体２内の図示しないダンパー機構、弱音機構またはソステヌート機構に接続され、下端がペダル６の後端部６ａに接続されている。５６はワイヤ５１のガイドリングである。
【００２６】
このようなペダル装置５２において、固定用ねじ５４，５５を緩めてリンク５３Ａ，５３Ｂを前後方向に回動させると、ペダル箱５が前後方向に回動するためペダル６の高さを調節することができる。このとき、ペダル箱５はリンク５３Ａ，５３Ｂをアームとして回動するため、高さに加えて前後方向の位置も調節される。ペダル６の高さを調節した後は、固定用ねじ５４，５５を締め付けてリンク５３Ａ，５３Ｂをペダル笠木１２とペダル箱５に強固に固定すれば、演奏時にペダル６を踏込操作したとき、ペダル箱５が下がったりすることがなく、良好に演奏することができる。
【００２７】
また、本実施の形態においては、突上げ機構として可撓性を有するワイヤ５１を用いているので、ペダル６の運動をピアノ本体２側の機構に確実に伝達することができる。すなわち、剛体からなるペダル突上げ棒７を用いた図１に示すペダル装置１０においては、ペダル突上げ棒７の取付け位置および長さがペダル６とピアノ本体側の機構との位置関係によって決定されるため、ペダル箱５を前後に移動させることができないが（移動させると、ペダル突上げ棒が曲がって動作しなくなる）、ワイヤ５１の場合はその長さを適当な長さにすることができることから、ペダル箱５を前後方向に移動させても何等影響を受けることがなく、ペダル６の運動伝達が確実である。また、ワイヤ５１を用いているので、ペダル６のワイヤ５１に対する取付け位置を調節する必要もない。
【００２８】
図７は本発明の第４の実施の形態を示すペダル装置の側面図である。
この実施の形態は、上記した第３の実施の形態の変形例を示すもので、各リンク５３Ａ，５３Ｂの下端部に長孔６０を形成し、これらの長孔６０に固定用ねじ５５を挿通してペダル箱５のねじ孔にねじ込むことにより、ペダル箱５をリンク機構５０に対して高さ調節自在にかつ前後方向に調節自在に取付けるように構成したものである。その他の構成は、上記した第３の実施の形態と同一である。
【００２９】
このような構造においては、固定用ねじ５５を長孔６０に沿って上昇移動させると、リンクの長さが短くなるため図６に示した実施の形態に比べてリンク５３Ａ，５３Ｂの回動角度が小さくてもペダル箱５の高さを大きな範囲で調節することができ、前後方向については小さな範囲で調節することができる。
【００３０】
図８は本発明の第５の実施の形態を示すペダル装置の側面図である。
この実施の形態は、リンク機構６２をＸ字状に交差した２つのリンク５３Ａ，５３Ｂで構成し、一方のリンク５３Ａの上端をペダル笠木１２に設けた前後方向に長い長孔６３に固定用ねじ５４によって移動可能にかつ回動可能に連結し、下端をペダル箱５に固定用ねじ５５によって回動可能に固定し、他方のリンク５３Ｂの上端をペダル笠木１２に固定用ねじ５４によって回動可能に固定し、下端をペダル箱５に設けた前後方向に長い長孔６６に固定用ねじ５５によって移動可能にかつ回動可能に連結したものである。リンク５３Ａとリンク５３Ｂの交差部は、連結用ねじ６６によって相対回動可能に連結されており、この連結用ねじ６６を締め付けて２つのリンク５３Ａ，５３Ｂを強固に固定すると、ペダル箱５をリンク５３Ａ，５３Ｂの交差角度に応じた高さ位置に固定することができる。すなわち、交差角度を大きくすると、ペダル箱５の高さを高くでき、小さくすると低くすることができる。
【００３１】
このようなリンク機構６２によれば、ペダル箱５は前後方向の移動を伴わず、同一位置で上下動し高さのみを調節することができる。
【００３２】
図９は本発明の第６の実施の形態を示すペダル装置の斜視図である。
この実施の形態は、図１に示した第１の実施の形態と同様にペダル柱８に対してペダル箱５を高さ調整可能に取付け、脚置きプレート７０をペダル箱５の下方にＬ型金具７１によって水平に配設し、ペダル箱５とともに脚置きプレート７０を上下動させるようにしたものである。ペダル箱５の高さ調整機構としては、図６〜図８に示したリンク機構５０または６２を用いてもよいことは勿論である。
【００３３】
このようなペダル装置によれば、脚置きプレート７０をペダル箱５と一体に上下させることができる。
【００３４】
図１０は本発明の第７の実施の形態を示すペダル装置の斜視図、図１１は同じくペダル装置の断面図、図１２はラックとピニオンを示す斜視図である。
この実施の形態は、２本のペダル柱８にペダル箱５を上下動自在に配設し、各ペダル柱８の背面にラック８０をそれぞれ固定し、ペダル箱５の内部に前記各ペダル柱８のラック８０に噛合する２つのピニオン８２を設けたものである。ピニオン８２は、ペダル箱５に回転自在に設けられた回動軸８３に固定されており、この回動軸８３のペダル箱外部に突出する一端には操作用のつまみ８４が設けられている。したがって、このつまみ８４を手で把持して回転させるとピニオン８２がラック８０に沿って回転しペダル箱５をペダル柱８に沿って上下動させることができる。ペダル箱５をペダル柱８に対して固定する場合は、上記した第１、第６の実施の形態と同様にペダル箱５の両側面に設けた固定用ねじ２３を用いて固定する。その他の構造は図１に示した第１の実施の形態と略同一である。
【００３５】
図１３は本発明の第８の実施の形態を示すペダル装置の斜視図、図１４は同じくペダル装置の断面図である。この実施の形態は、ペダル笠木１２の下面に正逆回転可能な２つの駆動モータ９０を設け、これらの駆動モータ９０の出力軸にそれぞれペダル柱８を連結し、これらのペダル柱８に対してペダル箱５をボールねじ９１によって上下動自在に配設したものである。ボールねじ９１は、各ペダル柱８に形成された雄ねじ９２と、ペダル箱５内に設けられ各雄ねじ９２のねじ溝に係合するボール９３とで構成されている。すなわち、本実施の形態は駆動モータ９０にペダル柱８を回転自在に設けるとともに、ペダル柱８をねじ棒として用いたものである。その他の構造は上記した第１の実施の形態と略同じである。
【００３６】
このようなペダル装置によれば駆動モータ９０によってペダル柱８を回転させるとペダル箱５をボールねじ９１のねじ作用により上下動させることができるため、演奏者や作業者が手でペダル箱５を上下動させる必要がなく、ペダル箱５の高さ調節が容易である。また、ボールねじ９１を用いているので、駆動モータ９０に対する負荷が小さく、小型のモータを使用することができる。また、２本のペダル柱８が同方向に回転しない限りペダル箱５は上下動せずその位置に保持されるため、高さを調節した後に駆動モータ９０の電源をＯＦＦにするだけでよく、図１、図９および図１１に示した固定用ねじ２３等を用いる必要がない。
【００３７】
図１５は本発明の第９の実施の形態を示すペダル装置の斜視図である。
この実施の形態は、外径が異なる２本のパイプ１００，１０１によって伸縮自在なペダル柱８とし、ナット１０２と図示を省略した締めリングによってペダル柱８の長さを調節するように構成したものである。パイプ１００はパイプ１０１より外径が大きく、上端がペダル笠木１２の下面に固定され、下端部側には可撓性を有する締めリングが固定されている。この締めリングは、基端部が円筒状で前記パイプ１００の下端部に固定され、先端部が先細でかつ複数のスリ割りが周方向に等間隔をおいて形成されたテーパ部とされ、前記パイプ１００の下方に突出している。
【００３８】
小径のパイプ１０１は上端部が前記締めリングを介して大径のパイプ１００に抜けを防止されて摺動自在に挿入され、下端側にペダル箱５が固定されている。この小径のパイプ１０１を上下動させてペダル箱５の高さを調節した後、ナット１０２を締め付けると、ナット１０２は締めリングのテーパ部を小径化して小径のパイプ１０１の外周に圧接し、このパイプ１０１と締めリングの摩擦力によって小径のパイプ１０１が大径のパイプ１００に対して固定される。したがって、このような構造においても上記した第１〜第８の実施の形態と同様な効果が得られるものである。
【００３９】
なお、本発明は上記した実施の形態に何等限定されるものではなく、本発明の特許請求の範囲に記載された範囲を逸脱しない限りにおいて適宜変更、変形することが可能である。例えば、全ての実施の形態において  ペダル突上げ棒７を用いる代わりに可撓性を有するワイヤ５１を用いてもよい。
【００４０】
【発明の効果】
以上説明したように本発明に係るグランドピアノのペダル装置は、構造が簡単で部品点数が少なく、また取り扱いが容易で従来の補助ペダル装置を必要とせず、幼児などであってもペダルを最も演奏し易い高さ位置に調節することができ、ペダルの運動を突上げ機構に確実に伝達することができる。
【図面の簡単な説明】
【図１】  本発明に係るグランドピアノのペダル装置の第１の実施の形態を示す外観斜視図である。
【図２】  同ペダル装置の一部を破断して示す側面図である。
【図３】  ペダル箱の固定構造を示す要部の断面図である。
【図４】  ペダルとペダル突上げ棒の連結構造を示す断面図である。
【図５】  本発明の第２の実施の形態を示すペダル装置の斜視図である。
【図６】  本発明の第３の実施の形態を示すペダル装置の側面図である。
【図７】  本発明の第４の実施の形態を示すペダル装置の側面図である。
【図８】  本発明の第５の実施の形態を示すペダル装置の側面図である。
【図９】  本発明の第６の実施の形態を示すペダル装置の斜視図である。
【図１０】  本発明の第７の実施の形態を示すペダル装置の斜視図である。
【図１１】  同ペダル装置の断面図である。
【図１２】  ラックと４ピニオンの斜視図である。
【図１３】  本発明の第８の実施の形態を示すペダル装置の斜視図である。
【図１４】  同ペダル装置の断面図である。
【図１５】  本発明の第９の実施の形態を示すペダル装置の斜視図である。
【図１６】  従来のペダル装置を備えたピアノグランドピアノの斜視図である。
【符号の説明】
１…グランドピアノ、３…ピアノ本体、４…ペダル箱、５…ペダル、６…ペダル突上げ棒、７…ペダル柱、１０…ペダル装置、２１…ペダル柱用孔、２３…固定用ねじ、５０…リンク機構、５１…ワイヤ、８０…ラック、８２…ピニオン、９０…駆動モータ、９１…ボールねじ。
【図１】
0003775308.tif 000002
【図２】
0003775308.tif 000003
【図３】
0003775308.tif 000004
【図４】
0003775308.tif 000005
【図５】
0003775308.tif 000006
【図６】
0003775308.tif 000007
【図７】
0003775308.tif 000008
【図８】
0003775308.tif 000009
【図９】
0003775308.tif 000010
【図１０】
0003775308.tif 000011
【図１１】
0003775308.tif 000012
【図１２】
0003775308.tif 000013
【図１３】
0003775308.tif 000014
【図１４】
0003775308.tif 000015
【図１５】
0003775308.tif 000016
【図１６】
0003775308.tif 000017